(57)【要約】      （修正有）【課題】マスコットキャップを胴部から外して下方に露出したスタンプで押印する文具類も多数販売されているが、あまり代わり映えしなく既に汎用されているものである。【解決手段】マスコット等から成る把持部１と、把持部固定手段１ａにスタンプ台固定部２ａを固定させたスタンプ台２と、把持部固定手段の外側に膨出させて且つスタンプが突出するように固定したキャップ４と、キャップに着脱自在に合着させた胴部５と、胴部に内装した起き上がりこぼし用の錘６と、起き上がりこぼし用の錘６を緩衝材を介装して胴部に固定する錘固定部８とを備え、胴部の下方外周を半球面状又は半円弧面状に形成し構成される。【選択図】図１
0003107765.tif 000002
【実用新案登録請求の範囲】
【請求項１】
頂部に突出したマスコット等から成る把持部と、該把持部の底部に突出させた筒状の把持部固定手段と、該把持部固定手段に筒状のスタンプ台固定部を固定させたスタンプ台と、該スタンプ台の下面に固定したスタンプと、前記把持部固定手段の外側に膨出させて且つ前記スタンプが下方に突出するように固定した略笠状のキャップと、該キャップの開口に着脱自在に開口を合着させた胴部と、該胴部の底部に内装した起き上がりこぼし用の錘と、該起き上がりこぼし用の錘を緩衝材を介装して胴部に固定する錘固定部とを備え、前記胴部の下方外周を半球面状又は半円弧面状に形成したことを特徴とする起き上がり起き上がりこぼし型スタンプ。
【考案の詳細な説明】
【技術分野】
【０００１】
本考案は、起き上がりこぼし型のスタンプで、且つ頂部にマスコット等を備えた起き上がりこぼし型スタンプに関するものであり、更に詳細には、マスコット等を把持してキャップを胴部から外して下方に露出したスタンプで押印すると共に、押印後はキャップを胴部と合着させて平面上に置くとユラユラ揺れて立つ起き上がりこぼしと成り、大量に確保できる廉価な錘を安定的に用いる起き上がりこぼし型スタンプに関するものである。
【背景技術】
【０００２】
従来、この種のマスコットやキャラクターを付設したスタンプは各種考案され開示されており、例えば、２：スタンプ収納ケースに、１：回転スタンプを取付け、７：ボタン電池収納ケースに６：ボタン電池を入れ、９：フタに５：発光ダイオードを設置し８：ボディーをもちながら１：回転スタンプを前後に移動させるとスタンプの役割をすると同時に５：発光ダイオードが点灯するようにしたもの（特許文献１参照）や、ハンコ２を保持する円筒状ホルダー本体１、円筒状ホルダー本体１内を上下するハンコ保持部材５、ハンコ保持部材５と円筒状ホルダー本体１内側との間に介装されたスプリング部材６、円筒状ホルダー本体１上部に開閉可能に取付けられた蓋部材４、ハンコ保持部材５の上端部に取付けられ、該ハンコ保持部材５の上下動作によって円筒状ホルダー本体１内部からその上部に出没するキャラクター部材３により構成されるもの（特許文献２参照）や、玩具形態、例えば招き猫等の玩具状に形成した筆記具本体２と、この筆記具本体２に着脱自在となるように開口されて適当な凹状部５を形成したキャップ３とを具備し、前記筆記具本体２の下方には芯先５を表出しつつ筆記機能を有するボールペン４等を配設したとともに、前記キャップ３の先端部分には筆記具本体２にキャップ３が装着された状態で、この筆記具全体が自動的に縦状、垂直状に起立可能となるような重り体６を内蔵したもの（特許文献３参照）等が開示されている。
【特許文献１】登録実用新案第３０７５０４４号公報
【特許文献２】登録実用新案第３０４８０１８号公報
【特許文献３】登録実用新案第３０１２９１２号公報
【考案の開示】
【考案が解決しようとする課題】
【０００３】
然し乍ら、昨今の文具は多様化しており、夫々工夫を凝らした文具類が商店等には陳列されており、更に、マスコットやキャラクターを一部に備えた文具類も多数販売されているが、あまり代わり映えしなく、マンネリ化しており、先に開示された例えば、２：スタンプ収納ケースに、１：回転スタンプを取付け、７：ボタン電池収納ケースに６：ボタン電池を入れ、９：フタに５：発光ダイオードを設置し８：ボディーをもちながら１：回転スタンプを前後に移動させるとスタンプの役割をすると同時に５：発光ダイオードが点灯するようにしたものでは、上方にキャラクターを備え、下方にローラースタンプを備えているものであるが、起き上がりこぼしにはならず、単に縦に載置できるものであり既に汎用されているものである。
【０００４】
更に、ハンコ２を保持する円筒状ホルダー本体１、円筒状ホルダー本体１内を上下するハンコ保持部材５、ハンコ保持部材５と円筒状ホルダー本体１内側との間に介装されたスプリング部材６、円筒状ホルダー本体１上部に開閉可能に取付けられた蓋部材４、ハンコ保持部材５の上端部に取付けられ、該ハンコ保持部材５の上下動作によって円筒状ホルダー本体１内部からその上部に出没するキャラクター部材３により構成されるものでは、キャラクター部材が上方から出没するものであるが、今やマンネリ化しているものである。
【０００５】
更に、筆記具としての起き上がりこぼしは、玩具形態、例えば招き猫等の玩具状に形成した筆記具本体２と、この筆記具本体２に着脱自在となるように開口されて適当な凹状部５を形成したキャップ３とを具備し、前記筆記具本体２の下方には芯先５を表出しつつ筆記機能を有するボールペン４等を配設したとともに、前記キャップ３の先端部分には筆記具本体２にキャップ３が装着された状態で、この筆記具全体が自動的に縦状、垂直状に起立可能となるような重り体６を内蔵したものでは、玩具状に形成した筆記具であり、起き上がりこぼしにはなるものの、スタンプではなく、更に、重り体６を筆記具本体２に合わせて作ることから高価に成るものである。
【課題を解決するための手段】
【０００６】
本考案は、前述の課題に鑑み、鋭意研鑽の結果、マスコット等から成る把持部と、把持部に突出させた把持部固定手段と、把持部固定手段にスタンプ台固定部を固定させたスタンプ台と、スタンプ台に固定したスタンプと、把持部固定手段の外側に膨出させて且つスタンプが突出するように固定したキャップと、キャップに着脱自在に合着させた胴部と、胴部に内装した起き上がりこぼし用の錘と、起き上がりこぼし用の錘を緩衝材を介装して胴部に固定する錘固定部とを備え、胴部の下方外周を半球面状又は半円弧面状に形成したものである。
【考案の効果】
【０００７】
本考案の起き上がりこぼし型スタンプは、前述の構成により、把持部に斬新なアイディアのキャラクター等のマスコットを形成でき、使用しないときはマスコットが形成された起き上がりこぼしとして机の上等の平面上に載置するとユラユラと揺れて立つものでユニークなスタンプであり、画期的で人目を引くものであり、更には、緩衝材を介装して錘を内装することから、錘の品質は問わず廉価で大量に入手できるものを使用することができ、実用性の高い考案である。
【考案を実施するための最良の形態】
【０００８】
本考案は、起き上がりこぼし型のスタンプで且つ頂部にマスコットを備えた起き上がりこぼし型スタンプに関するものであり、更に詳細には、マスコット等から成る把持部を把持し、キャップを胴部から外して下方に露出したスタンプで押印すると共に、押印後はキャップを戻して平面上に斜めに置くとユラユラ揺れて立つ起き上がりこぼしと成り、大量に確保できる廉価な錘を安定的に用いるマスコットスタンプをに関するものであり、頂部に突出したマスコット等から成る把持部１と、該把持部１の底部に突出させた筒状の把持部固定手段１ａと、該把持部固定手段１ａに筒状のスタンプ台固定部２ａを固定させたスタンプ台２と、該スタンプ台２の下面に固定したスタンプ３と、前記把持部固定手段１ａの外側に膨出させて且つ前記スタンプ３が下方に突出するように固定した略笠状のキャップ４と、該キャップ４の開口に着脱自在に開口を合着させた胴部５と、該胴部５の底部に内装した起き上がりこぼし用の錘６と、該起き上がりこぼし用の錘６を緩衝材７を介装して胴部５に固定する錘固定部８とを備え、前記胴部５の下方外周を半球面状又は半円弧面状に形成したものである。
【実施例】
【０００９】
以下、本考案の起き上がりこぼし型スタンプの実施例の図面によって具体的に説明すると、図１は本考案の起き上がりこぼし型スタンプの実施例の縦方向を断面とした説明図であり、図２は本考案の起き上がりこぼし型スタンプの次実施例の縦方向を断面とした説明図であり、図３は本考案の起き上がりこぼし型スタンプの実施例の把持部固定手段の断面説明図である。
【００１０】
即ち、本考案の起き上がりこぼし型スタンプの把持部１は、後述するキャップ４の頂部に突出したもので、各種のキャラクターや動物等を造形させたマスコット等から成る把持部１であり、後述するスタンプ３を押印する時に把持する部位と成るものである。
【００１１】
そして、把持部固定手段１ａは把持部１の底部に突出させた筒状のもので、図１乃至図２に図示する如く、後述するキャップ４の頂部に形成した固定用孔に挿通させるものであり、図３に図示する如く、実施例では筒状の胴部５に複数の割溝１ｂを形成し、外周下端辺に膨出する爪部１ｃを形成してキャップ４の固定用孔に固定しているものである。
【００１２】
次に、スタンプ台２は筒状のスタンプ台固定部２ａを裏面に立設させ、把持部１の把持部固定手段１ａの筒状の内側に挿通させて接着等の手段によって固定するか、スタンプ台２の外周に後述するキャップ４の内側と嵌入する外周縁部を形成し、キャップ４の内側と外周縁部を接着等の手段によって固定するものである。
【００１３】
次いで、スタンプ３はスタンプ台２の下面に接着等の手段によって固定しているもので、浸透印タイプのスタンプ３でも、一般的なゴム等で形成されたスタンプ３でも、回転軸に軸着された回転軸に固定されたローラータイプ（図示しない）のスタンプ３でも構わないものである。
【００１４】
更には、キャップ４は略笠状のもので頂部中心部にマスコット１の把持部固定手段１ａを挿通させて固定するための固定用孔４ａを形成しており、該固定用孔４ａに筒状の把持部固定手段１ａを挿通固定すると共に、キャップ４の内側にスタンプ台２の外周を接着等の手段で固定し、キャップ４は開口の外周縁部よりスタンプ３が下方に突出するように固定するものである。
【００１５】
そして、胴部５は開口をキャップ４の開口に着脱自在に合着させているものであり、胴部５とキャップ４との表面は面一に成るように合着させることが望ましいものである。
【００１６】
次いで、起き上がりこぼし用の錘６は胴部５の底部に内装したもので、金属又はセメント等の比重の大きい物質を内装して起き上がりマスコットスタンプ３の重心を少なくとも中心より下方に位置させるもので、後述する錘固定部８で固定するものである。
【００１７】
次に、錘固定部８は図１に図示する実施例ではカップ状のもので、ナット状の起き上がりこぼし用の錘６との間に緩衝材７を介装して胴部５の内周と接着等の手段により固定しており、次実施例では、平円板状の中心に環状リブを立設して、環状リブをナット状の起き上がりこぼし用の錘６の中心孔に挿通させると共に、緩衝材７を介装させて固定しているものである。
【００１８】
更には、胴部５の下方外周を半球面状又は半円弧面状に形成して起き上がりマスコットスタンプを平面上に載置した場合、起き上がりこぼしと成って前後左右にユラユラ揺れながら起き上がるものである。
【００１９】
そして、本考案の起き上がりこぼし型スタンプで押し印する場合は、マスコット等から成る把持部１を把持して胴部５から外して押印するものであり、押印後は元に戻して載置すると、起き上がりこぼしの機能を備えて揺れて立設するものである。
【００２０】
更に、起き上がりこぼし用の錘６は緩衝材７を介装して錘固定部８で固定しているため、ナットを製造する時に一定の割合で発生する規格外製品や、半製品、鋳物、セメント等の廉価なもので良く、製品のバラツキは緩衝材７に吸収させることができるものである。
【産業上の利用可能性】
【００２１】
本考案の起き上がりこぼし型スタンプは、斬新なアイディアのキャラクターを形成できるとともに起き上がりこぼしとしてユラユラと揺れて立つユニークなマンネリ化した文具の中で人目を引くスタンプと成り、販促商品等としても企業や商品のイメージ、広告等を表現させて提供できるものである。
【図面の簡単な説明】
【００２２】
【図１】図１は本考案の起き上がりこぼし型スタンプの実施例の縦方向を断面とした説明図である。
【図２】図２は本考案の起き上がりこぼし型スタンプの次実施例の縦方向を断面とした説明図である。
【図３】図３は本考案の起き上がりこぼし型スタンプの実施例の把持部固定手段 の断面説明図である。
【符号の説明】
【００２３】
１      把持部
１ａ    把持部固定手段 
１ｂ    割溝
１ｃ    爪部
２      スタンプ台
２ａ    スタンプ台固定部
３      スタンプ
４      キャップ
４ａ    固定用孔
５      胴部
６      起き上がりこぼし用の錘      
７      緩衝材
８      錘固定部
【図１】
0003107765.tif 000003
【図２】
0003107765.tif 000004
【図３】
0003107765.tif 000005